(57)【要約】      （修正有）【課題】キャッシュカードなどの暗証番号が必要なカードにおいて、個人情報などから暗証番号が類推されることがなく、暗証番号が直ぐ思い出せるようにしたカードを提供する。【解決手段】  キャッシュカード等の暗証番号の認証が必要なカードであって、暗証番号早見表と暗証番号記入欄を当該カードの裏面に設けて一体にする。暗証番号早見表は０から９の数字を使った縦４列横４行の１６枡目表で、表の内側の４個の枡目に４種類の数字を１つずつ配置し、さらに、外側の１２個の枡目に残りの６種類の数字を２つずつ用いて、同じ種類の数字が対面になるように配置する。【選択図】図１
2013004070.tif 000002
【特許請求の範囲】
【請求項１】
暗証番号がいる、キャッシュカード等に，暗証番号早見表（１）と暗証番号記入欄（２）を、カードの裏面に設けて一体にしたものである。
【請求項２】
暗証番号早見表（１）は、縦４列・横４行の１６枡目表（４）にして表の内側４枡目（５）に数字を１つ配置して、外側の１２枡目（６）に６つの数字を対面に配置（７）する事で、隣同士で重複するのを避け暗証番号が、縦、横、斜め、から設定できるように考案したものである。
【請求項３】
暗証番号記入欄（２）は、７枡目を１行にしたもの（イ）で覚えやすい数字（ロ）を暗証番号として入れる事が出来、空いた枡目には暗証番号と重複しない数字を、ダミー（ハ）として入れ、複数のカードでそれぞれ暗証番号が違っていても、暗証番号の位置（ニ）と入力パターンを覚える事で番号が確認できるように、考案したものである。
【発明の詳細な説明】
【技術分野】
【０００１】  この発明は、キャッシュカードまたはクレジットカード等、暗証番号のある、カードに関するものである。
【背景技術】
【０００２】  従来、暗証番号が必要な、キャッシュカードやクレジットカード等は、カード自体はお預入れ、お引き出し、残高照会などに使用されるだけで、カードに暗証番号早見表や暗証番号記入欄等を設けて一体にしたものはなかった。
【先行技術文献】
【特許文献】
【０００３】
【特許文献１】  過去に、キャッシュカードまたは、クレジットカード等の、カードの裏面に暗証番号旱見表か暗証番号記入欄などを設けたものはなかった。
【発明の概要】
【発明が解決しようとする課題】
【０００４】  従来、暗証番号は生年月日、電話番号、車のナンバーなど覚えやすい番号にしていたがカードの偽造、盗難など、キャッシュカード規定等に基づき、被害を補償するようになり、他人に容易に類推されやすい番号は使用できなくなり、設定の時に番号をあれこれ考えたり、カードやメモに書き記したり番号を勘違いしたり、また番号を忘れる人も多く、暗証番号照会なども増えて暗証番号の管理が難しくなっている。
本発明は、以上のような欠点をなくすために考案されたものである。
【課題を解決するための手段】
【０００５】  ４桁の暗証番号を、縦、横、斜め、から設定するには、縦４列、横４行の、１６枡目表（４）が最も適するが、数字の配列が難しかった、表の内側４枡目（５）に１数字、外側１２枡目（６）に６つの数字を、それぞれ対面に配置（７）して、隣同士の重複を避け問題を解決した。上下、左右、斜めの、どこからでも設定できるようにして暗証番号の順番や、ラインやかたちをパターンで覚えられるようにして、簡単に確認できるようにしたものである。【０００６】  また暗証番号記入欄は７枡目を横１行（イ）にしたもので、好きな所へ覚えやすい番号を、暗証番号（ロ）として入れて空欄にはダミーの数字（ハ）を入れる事で暗証番号（ニ）だけ分かるようにして、覚えるべき番号の位置（ホ）と入力パターンを覚える事で複数のカードにも、違う暗証番号の設定が出来るようにしたものである。
なお、暗証番号の桁数が増えると枡目も増やすようにする。
【発明の効果】
【０００７】  キャッシュカード等の暗証番号は、早見表があれば番号をあれこれ考えなくても表を見て設定が出来、また、記入欄は、複数のカードに違う暗証番号の設定が出来、カードを使用する時は、カードの裏面を見て、暗証番号を確認することが出来るので忘れる事がなくなり、暗証番号照会のお問い合わせも少なくなる。
【図面の簡単な説明】
【０００８】
【図１】暗証番号早見表と暗証番号記入欄を、カード（キャッシュカード等）の裏面に設けて一体にしたカードの背面図で実物大である。
【図２】キャッシュカードの正面図である。
【図３】暗証番号早見表
【図４】内側４枡目
【図５】外側１２枡目
【図６】対面に配置した図
【図７】暗証番号記入欄
【図８】暗証番号の箇所
【図９】数字のダミー
【図１０】暗証番号の位置
【発明を実施するための形態】
【０００９】  現在、暗証番号を必要とするカードは、社会に普及しているので、カードを新しく作る人はカード裏面に暗証番号早見表と暗証番号記入欄を設けたカードは暗証番号の確認がすぐに出来るので、利用価値があり受注はある。
【産業上の利用可能性】
【００１０】  キャッシュカード等は広く社会に普及しているが、カードの裏面に暗証番号早見表や暗証番号記入欄を設けたカードはないので、カードの裏面を見て暗証番号の設定や暗証番号の確認がすぐに出来るカードは、一般的に利用されるものである。
【符号の説明】
【００１１】１  暗証番号早見表
２  暗証番号記入欄
３  キャッシュカード
４  １６枡目表
５  内側４枡目
６  外側１２枡目
７  対面に配置した図
イ  ７枡目を横１行にしたもの
ロ  ○は好きな番号の暗証番号
ハ  △は数字のダミー
ニ  覚えるべき番号の位置
【図１】
2013004070.tif 000003
【図２】
2013004070.tif 000004
【図３】
2013004070.tif 000005
【図４】
2013004070.tif 000006
【図５】
2013004070.tif 000007
【図６】
2013004070.tif 000008
【図７】
2013004070.tif 000009
【図８】
2013004070.tif 000010
【図９】
2013004070.tif 000011
【図１０】
2013004070.tif 000012
【手続補正書】
【提出日】平成24年6月4日(2012.6.4)
【手続補正１】
【補正対象書類名】特許請求の範囲
【補正対象項目名】全文
【補正方法】変更
【補正の内容】
【特許請求の範囲】
【請求項１】
キャッシュカード等の暗証番号の認証が必要なカードであって、暗証番号早見表と暗証番号記入欄を当該カードの裏面に設けて一体にしたカードにおいて、前記の暗証番号早見表は０から９の数字を使った縦４列横４行の１６枡目表で、表の内側の４個の枡目に４種類の数字を１つずつ配置し、さらに、外側の１２個の枡目に残りの６種類の数字（内側の４個の枡目で用いた数字以外の数字）を２つずつ用いて、同じ種類の数字が対面になるように配置したもので、表を縦又は横に真ん中から２分割した時、分割したそれぞれの半分（８個の枡目枠）の中に重複する数字が無くなるようにしたことを特徴とするカード。
【請求項２】
暗証番号記入欄は横１行の７個の枡目の枠で、暗証番号の数字を憶え易いならびや判り易いパターンなどにして７個の枡目の中に入れ（なお個人情報になる数字は入れません）、さらに、暗証番号を入れた枡目以外の空いた枡目に、暗証番号と重複しない数字（種類の違う数字）を入れることにより暗証番号を判らなくしたことを特徴とする請求項１記載のカード。